(57)【要約】      （修正有）【課題】ランプ源の出射光を補償でき、はっきり光照視野を得ることができると同時に、交通安全に影響する眩しい光源の出射光は避けることができるランプ装置を提供する。【解決手段】ランプ装置は、ＬＥＤユニット３２を備え、ＬＥＤユニットは、ベース３０１と、突出部３０２と、第一ＬＥＤ本体３０３と、第二ＬＥＤ本体３０４と、を含む。ベースは、中心軸及び軸心を有する。突出部は、中心軸を基準としてベースの上に非対称的に配置され、第一表面３０２１、第二表面３０２２及び中心軸に対して偏心する偏軸を有する。第一ＬＥＤ本体は、第一表面の上に配置され、第一所定の参考線に基づいて配列される。第二ＬＥＤ本体は、第二表面の上に配置され、第二所定の参考線に基づいて配列され、偏軸は、第一ＬＥＤ本体を通過し、中心軸は、第二ＬＥＤ本体を通過し、軸心と偏軸位置との間には特定の距離Ｄ１があり、特定の距離は１mm〜５mmである。【選択図】図３（ｂ）
0003215504.tif 000002
【実用新案登録請求の範囲】
【請求項１】
ＬＥＤユニットを備えるランプ装置であって、
前記ＬＥＤユニットは、
中心軸及び軸心を有するベースと、
前記中心軸を基準として前記ベースの上に非対称的に配置され、第一表面、第二表面及び前記中心軸に対して偏心する偏軸を有する突出部と、
前記第一表面の上に配置され、第一所定の参考線に基づいて配列される第一ＬＥＤ本体と、
前記第二表面の上に配置され、第二所定の参考線に基づいて配列される第二ＬＥＤ本体と、を含み、
前記偏軸は、前記第一ＬＥＤ本体を通過し、前記中心軸は、前記第二ＬＥＤ本体を通過し、前記軸心と前記偏軸位置との間には特定の距離があり、前記特定の距離は１mm〜５mmであることを特徴とするランプ装置。
【請求項２】
前記第一所定の参考線と前記第二所定の参考線とは、前記中心軸に共に直交し、前記第一所定の参考線と前記第二所定の参考線は、平行であり、前記第一所定の参考線と前記第二所定の参考線との間には前記特定の距離があり、
前記ベースは、円盤を更に有し、前記円盤は、前記中心軸に対して互いに対称な位置に配置される二つの半円形のノッチを有し、前記軸心と前記偏軸の偏軸位置との間に配置される結合孔を更に有し、
前記突出部は、略長方形のシート及び略半円形の反射ユニットを有し、前記略長方形のシートは、第一端及び第二端を有し、前記第一端は、前記結合孔と結合し、且つ前記第二端は、前記略半円形の反射ユニットと結合し、
前記略長方形のシートは、前記第一表面及び前記第二表面を有し、且つ前記第一表面と前記第二表面は共に平面であり、
前記第一ＬＥＤ本体は、複数の第一ＬＥＤランプ芯を含み、前記第二ＬＥＤ本体は、複数の第二ＬＥＤランプ芯を含み、前記複数の第一ＬＥＤランプ芯のそれぞれは、矩形であり、且つ第一直線に配列され、前記複数の第二ＬＥＤランプ芯のそれぞれは、矩形であり、且つ第二直線に配列され、前記第一直線と前記第二直線は、平行であり、且つ前記第一直線と前記第二直線との間は、前記特定の距離に等しい垂直距離を有し、
前記複数の第一ＬＥＤランプ芯のそれぞれは、第一厚さを有し、前記複数の第二ＬＥＤランプ芯のそれぞれは、第二厚さを有し、前記略長方形のシートは、第三厚さを有し、且つ前記特定の距離は、前記第一厚さの１/２、前記第二厚さの１/２及び前記第三厚さの和に等しいことを特徴とする請求項１に記載のランプ装置。
【請求項３】
前記ランプ装置は、リフレクターを更に含み、
前記突出部は、略長方形のシート及び略半円形の反射ユニットを有し、
前記リフレクターは、前記第一ＬＥＤ本体からの光を反射して第一ライトフィールド及び第二ライトフィールドを形成し、
前記中心軸は、前記第二ＬＥＤ本体を通過し、且つ前記第一ＬＥＤ本体は、前記中心軸の上にある時、前記第二ライトフィールドは、前記中心軸の近くにあり、且つ平行に延び、前記第一ライトフィールドは、前記中心軸の下にあり、且つ扇形に延び、
前記中心軸は、前記第二ＬＥＤ本体を通過し、且つ前記第一ＬＥＤ本体は、前記中心軸の下にある時、前記第二ライトフィールドは、前記中心軸の近くにあり、且つ平行に延び、前記第一ライトフィールドは、前記中心軸の上にあり、且つ扇形に延び、
前記第一ＬＥＤ本体は、単一の第一矩形のＬＥＤランプ芯を含み、前記第二ＬＥＤ本体は、単一の第二矩形のＬＥＤランプ芯を含み、前記単一の第一矩形のＬＥＤランプ芯の長さの方向は、前記第一所定の参考線の第一所定の方向であり、前記単一の第二矩形のＬＥＤランプ芯の長さの方向は、前記第二所定の参考線の第二所定の方向であることを特徴とする請求項１に記載のランプ装置。
【請求項４】
ＬＥＤユニットを備えるランプ装置であって、
前記ＬＥＤユニットは、
参考軸及び軸心を有するベースと、
前記参考軸に対して前記ベースの上に非対称的に配置される突出部と、
前記突出部に配置される第一ＬＥＤ本体と、を含み、
前記第一ＬＥＤ本体の前記ベースの上の投影位置は、前記参考軸に対して偏心する偏軸位置にあり、前記軸心と前記偏軸位置との間には特定の距離があり、前記特定の距離は１mm〜５mmであることを特徴とするランプ装置。
【請求項５】
前記第一ＬＥＤ本体は、第一所定の参考線に基づいて配列され、
前記ランプ装置は、第二ＬＥＤ本体を更に含み、前記第二ＬＥＤ本体は、前記突出部に配置され、且つ第二所定の参考線に基づいて配列され、前記参考軸は、前記第二ＬＥＤ本体を通過し、且つ前記第一所定の参考線と前記第二所定の参考線は、平行であり、前記第一所定の参考線と前記第二所定の参考線との間には前記特定の距離があり、
前記ベースは、円盤を有し、前記円盤は、前記参考軸に対して互いに対称な位置に配置される矩形のノッチ及び半円形のノッチを有し、前記軸心と前記偏軸の前記偏軸位置との間に配置される結合孔を更に有し、
前記突出部は、略円筒形のシート及び略半円形の遮蔽ユニットを有し、前記略円筒形のシートは、第一端及び第二端を有し、前記第一端は、前記結合孔と結合し、且つ前記第二端は、前記略半円形の遮蔽ユニットと結合し、
前記略円筒形のシートは、円筒の両面を対称に平坦化して形成され、且つ第一矩形の平面及び第二矩形の平面有し、前記第一ＬＥＤ本体は、前記第一矩形の平面に配置され、前記第二ＬＥＤ本体は、前記第二矩形の平面に配置され、
前記第一ＬＥＤ本体は、単一の第一楕円形のＬＥＤランプ芯を含み、前記第二ＬＥＤ本体は、単一の第二楕円形のＬＥＤランプ芯を含み、前記単一の第一楕円形のＬＥＤランプ芯の長軸の方向は、前記第一所定の参考線の第一所定の方向であり、前記単一の第二楕円形のＬＥＤランプ芯の長軸の方向は、前記第二所定の参考線の第二所定の方向であり、
前記単一の第一楕円形のＬＥＤランプ芯は、第一厚さを有し、前記単一の第二楕円形のＬＥＤランプ芯は、第二厚さを有し、前記略円筒形のシートは、第三厚さを有し、前記特定の距離は、前記第一厚さ、前記第二厚さ及び前記第三厚さの和に等しいことを特徴とする請求項４に記載のランプ装置。
【請求項６】
前記ランプ装置は、第二ＬＥＤ本体を更に含み、前記第二ＬＥＤ本体は、前記突出部に配置され、且つ第二所定の参考線に基づいて配列され、前記参考軸は、前記第二ＬＥＤ本体を通過し、
前記突出部は、略円筒形のシート及び略半円形の遮蔽ユニットを有し、
前記略半円形の遮蔽ユニットは、前記略半円形の遮蔽ユニットと前記略円筒形のシートとの接合部に第一扇形の平面及び第二扇形の平面とを有し、
前記第一扇形の平面と前記第二扇形の平面とは、共に複数のストレートのストライプの図案を有する反射面であり、
前記第一扇形の平面は、前記第一ＬＥＤ本体からの光を部分的に遮蔽して第一ライトフィールドを形成し、且つ前記第二扇形の平面は、前記第二ＬＥＤ本体からの光を部分的に遮蔽して第二ライトフィールドを形成し、前記部分的に遮蔽することにより、前記第一ライトフィールド及び前記第二ライトフィールドは、前記参考軸上の水平面と地面との間の区域を超えないことを特徴とする請求項４に記載のランプ装置。
【請求項７】
ＬＥＤユニットを備えるランプ装置であって、
前記ＬＥＤユニットは、
中心軸及び軸心を有するベースと、
前記ベースの上に設けられる第一ＬＥＤランプ芯と、を含み、
前記第一ＬＥＤランプ芯の前記ベース上の投影位置は、前記中心軸に対して偏心する偏軸の偏軸位置にあり、前記軸心と前記偏軸位置との間には特定の距離があり、前記特定の距離は１mm〜５mmであることを特徴とするランプ装置。
【請求項８】
前記第一ＬＥＤランプ芯は、突出部によって間接的に前記ベースの上に設けられて、
前記突出部は、円筒形構造及び傘状構造を有し、前記傘状構造は、傘柱構造及び傘面構造を有し、前記傘柱構造は、前記軸心と前記偏軸位置との間にあり、且つ前記円筒形構造の第一端と結合し、前記円筒形構造の中心軸は、前記ベースの前記中心軸と重なり、前記円筒形構造の第二端は、前記ベースと結合し、
前記ベースは、ECE R３７規範を準拠するＨ３電球用のベースであり、
前記傘柱構造の遮光角度は、０〜３０度であり、
前記傘柱構造の長さは、１５mm〜２０mmであることを特徴とする請求項７に記載のランプ装置。
【請求項９】
前記ランプ装置は、リフレクター及び第二ＬＥＤランプ芯を更に含み、
前記リフレクターは、前記第一ＬＥＤランプ芯からの光を反射して第一ライトフィールドを形成し、且つ前記第二ＬＥＤランプ芯からの光を反射して第二ライトフィールドを形成し、
前記中心軸は、前記第二ＬＥＤランプ芯を通過し、且つ前記第一ＬＥＤランプ芯は、前記中心軸の上にある時、前記第二ライトフィールドは、前記中心軸の近くにあり、且つ平行に延び、前記第一ライトフィールドは、前記中心軸の下にあり、且つ扇形に延び、
前記中心軸は、前記第二ＬＥＤランプ芯を通過し、且つ前記第一ＬＥＤランプ芯は、前記中心軸の下にある時、前記第二ライトフィールドは、前記中心軸の近くにあり、且つ平行に延び、前記第一ライトフィールドは、前記中心軸の上にあり、且つ扇形に延びることを特徴とする請求項７に記載のランプ装置。
【請求項１０】
前記突出部は、曲がった傘状構造を有し、
前記曲がった傘状構造は、傘面構造及び曲がった柱を含み、
前記曲がった柱は、前記傘面構造と結合し、第一サブ柱、第二サブ柱及び曲がった部を含み、
前記第一サブ柱は、前記ベースの前記中心軸と重なり、且つ前記ベースと結合し、
前記第二サブ柱は、前記偏軸と前記軸心との間に配置され、且つ前記傘面構造と結合し、
前記曲がった部は、前記第一サブ柱を前記第二サブ柱と結合することを特徴とする請求項７に記載のランプ装置。
【請求項１１】
中心軸及び軸心を有するベースと、
前記中心軸を基準として前記ベースの上に非対称的に配置され、且つ第一表面、第二表面及び前記中心軸対して偏心する偏軸を有する突出部と、を含み、
前記突出部は、
第一表面の上に配置されるＬＥＤ本体と、
第二表面の上に配置される放熱構造と、を更に含み、
前記偏軸は、前記放熱構造を通過し、前記中心軸は、前記ＬＥＤ本体を通過し、前記軸心と前記偏軸位置との間には特定の距離があり、前記特定の距離は１mm〜５mmであることを特徴とするランプ装置。
【請求項１２】
前記ＬＥＤ本体は、前記第一表面と前記中心軸との交点の近くに配置され、
前記放熱構造は、複数の溝槽を有し、前記複数の溝槽は、交互に配列されて複数の放熱フィンを形成し、
前記突出部は、良好な熱伝導体であり、
前記ベースは、支持オブジェクト及びヒートシンクを含み、前記支持オブジェクトは、ランプパネルであり、
前記中心軸は、前記支持オブジェクトの第一中心位置にあり、前記突出部は、第二中心位置を有し、前記第一中心位置と前記第二中心位置との間にはオフセットがあり、前記オフセットは、前記特定の距離であり、
前記ランプ装置は、第一連結ユニットと、第二連結ユニットと、第三連結ユニットと、リフレクターと、可撓性放熱ユニットと、を更に含み、
前記支持オブジェクトは、前記第一連結ユニット及び前記第二連結ユニットによって前記突出部に連結され、前記第一連結ユニット及び前記第二連結ユニットは、ねじであり、
前記ヒートシンクは、前記第三連結ユニットによって前記支持オブジェクト及び前記突出部に連結され、且つ前記可撓性放熱ユニットによって前記リフレクターに連結されることを特徴とする請求項１１に記載のランプ装置。
【請求項１３】
第一中心軸を有し、
第二中心軸を有するベースと、
第三中心軸を有する突出部と、を更に含み、
前記第二中心軸は、前記第一中心軸と重なり、前記第三中心軸と前記第二中心軸との間にはオフセットがあり、前記オフセットは１mm〜５mmであることを特徴とするランプ装置。
【考案の詳細な説明】
【関連出願と優先権主張の相互参照】
【０００１】
本考案は、台湾知的財産局での２０１７年２月２１日に出願された実用新案出願第１０６２０２５２６号に基づく利益を主張し、当該実用新案出願の開示は、参照によって本明細書に組み込まれる。
【考案の属する技術分野】
【０００２】
本考案は、ランプ装置に関し、特に中心軸に対して偏心する偏軸位置に設けられるＬＥＤを有するランプ装置に関する。
【従来の技術】
【０００３】
照明装置においては、ガス放電式（高輝度放電、ＨＩＤ）ランプは、ハロゲンランプに加えてもう一つの選択を提供する。特に自動車市場では、車が走行する時のランプの必要な投影距離と明るさに応じて、ＨＩＤランプは、輝度、効率及び使用可能寿命もハロゲンランプよりも優れた。また、ハロゲンランプは、約３２００Ｋの色温度を有し、ＨＩＤランプは、太陽に近い約４２００Ｋの色温度を有するため、明るくて明確な照明効果を得ることができる。
【０００４】
ＬＥＤランプは、太陽光に近い光を発し、より高いエネルギー変換効率を有し、人々は非常に快適なビジョンを感じるので、近年では、タングステンランプ、ハロゲンランプ及びＨＩＤランプなどが徐々にＬＥＤランプに置き換えられている。研究によると、５５００Ｋが目に有益な色温度であり、ＬＥＤランプの６５００Ｋの色温度が４２００Ｋキセノンランプよりも日光に近いので、ＬＥＤランプを自動車のヘッドライトとすることが科学的根拠を持っている。また、ＬＥＤランプは、ＨＩＤランプの半分の電力消費、ＨＩＤランプの２倍の明るさ、ＨＩＤランプの１０倍の使用可能寿命、などの多くの利点を有する。更に、ＬＥＤランプは、ＨＩＤランプより価格が安く、少ない放熱で電力を無駄にする可能性が低い、始動電圧による点灯時間が短いため、他のタイプの照明に優れている。
【０００５】
中国実用新案公告ＣＮ２０３１７７００４の文献には、ＬＥＤ自動車のヘッドライトが開示されている。図１は、従来のＬＥＤランプベース１０を示す模式図である。ＬＥＤランプベース１０は、ベース１０１、突出部１０２及びＬＥＤ本体１０３を含む。前記ベース１０１は、中心軸１００を有し、前記突出部１０２は、半円筒形構造であり、前記ＬＥＤ本体１０３は、前記半円筒形構造の平面の上に配置され、且つ半球形であり、前記中心軸１００は、前記ＬＥＤ本体１０３の底面１０３１を通過する。前記ＬＥＤ本体１０３は、従来のＨ３ランプ芯と比較され、前記中心軸１００は、底面１０３１の代わりにＨ３ランプ芯の中心（図示せず）を通過する。故に、前記ＬＥＤ本体１０３が形成する出射光の焦点は、Ｈ３ランプ芯が形成する出射光の焦点とは異なり、出射光の焦点の発散を引き起こすことさえある。
【０００６】
中華民国実用新案登録Ｍ４６５５１８の文献には、車両の昼間点灯が開示されている。図２は、従来のＬＥＤ車両の昼間点灯２０を示す模式図である。前記ＬＥＤ車両の昼間点灯２０は、反射面２０２が構成する光が透けるミラーベースを含み、前記反射面２０２の下方には、光源位置決め部２０１が設けられ、前記光源位置決め部２０１には、少なくとも一つのＬＥＤ光源２０３が設けられでもよい。前記反射面２０２は、前記ＬＥＤ光源２０３の光束を調整するための非対称的な曲面設計方程式で設計される曲面である。図２には、中心軸zがＬＥＤ光源２０３の中心を通過するが、ＬＥＤ光源２０３から出射した光束の調整は、非対称的な反射面２０２を用いることによって達成される。
【０００７】
現在の自動車用灯具の機構は、大抵ＨＩＤランプの機構と同じ、例えば、自動車フォグランプの焦点を合わせるためのリフレクターは、需要に応じて、出力光の照射区域と標準のＨ３電球と配合して設計される。例えば、出力光の照射区域は、対向車の運転者の目を刺激しなく、交通安全に影響を与えないように、低くする。特に、ハロゲン灯具のハロゲン電球又はＨＩＤ灯具のＨＩＤ電球をＬＥＤ電球にアップグレードする場合は、ＬＥＤ電球のランプベースとハロゲン灯具又はＨＩＤ灯具の機構が、必ずしも互換性がない。例えば、自動車用灯具のリフレクターの形状及びバックシェルの形状は異なる。従って、ＬＥＤ電球に置き換える時、ハロゲン灯具又はＨＩＤ灯具の機構は、ＬＥＤ電球のランプベースのサイズに応じて、金型を再開する必要があり、ＬＥＤ電球のランプベースのサイズは、ハロゲン灯具又はＨＩＤ灯具の機構に柔軟にかつ適応的に満たすことができない。ＨＩＤランプの機構を変更しない場合、ＬＥＤ電球に置き換えると、出力光の焦点及び光強度が変化して、出力光の区域を変化させ、要件を満たさなくなる。
【考案の開示】
【考案が解決しようとする課題】
【０００８】
これに鑑みて、本考案者は研究開発に努め、従来のハロゲン灯具又はＨＩＤ灯具の機構が使用されているうちに、ＬＥＤユニットに置き換えると、Ｈ３電球から出力した光の照射区域、焦点及び光強度（輝度）に応じることができ、Ｈ３電球よりも良い効果を達成することが可能なランプ装置を所望する。本考案に係るランプ装置によれば、中心軸に対して偏心する偏軸位置にランプ源が投影されることにより、ランプ源の出射光を補償することができ、より明るい視野を得ることができる。同時に、交通安全に影響しないようにあまりにも眩しい光源の出射光は避けることができる。或いは、光の照射区域は、需要を満たすように設計される。
【課題を解決するための手段】
【０００９】
上述の目的を達成するために、本考案は、ランプ装置を提案する。前記ランプ装置は、ＬＥＤユニットを備え、前記ＬＥＤユニットは、中心軸及び軸心を有するベースと、前記中心軸を基準として前記ベースの上に非対称的に配置され、第一表面、第二表面及び前記中心軸に対して偏心する偏軸を有する突出部と、前記第一表面の上に配置され、第一所定の参考線に基づいて配列される第一ＬＥＤ本体と、前記第二表面の上に配置され、第二所定の参考線に基づいて配列される第二ＬＥＤ本体と、を含み、前記偏軸は、前記第一ＬＥＤ本体を通過し、前記中心軸は、前記第二ＬＥＤ本体を通過し、前記軸心と前記偏軸位置との間には特定の距離があり、前記特定の距離は１mm〜５mmである。
【００１０】
上述の目的を達成するために、本考案は、ランプ装置を提案する。前記ランプ装置は、ＬＥＤユニットを備えるランプ装置であって、前記ＬＥＤユニットは、参考軸及び軸心を有するベースと、前記参考軸に対して前記ベースの上に非対称的に配置される突出部と、前記突出部に配置される第一ＬＥＤ本体と、を含み、前記第一ＬＥＤ本体の前記ベースの上の投影位置は、前記参考軸に対して偏心する偏軸位置にあり、前記軸心と前記偏軸位置との間には特定の距離があり、前記特定の距離は１mm〜５mmである。
【００１１】
上述の目的を達成するために、本考案は、ランプ装置を提案する。前記ランプ装置は、ＬＥＤユニットを備えるランプ装置であって、前記ＬＥＤユニットは、中心軸及び軸心を有するベースと、前記ベースの上に設けられる第一ＬＥＤランプ芯と、を含み、前記第一ＬＥＤランプ芯の前記ベース上の投影位置は、前記中心軸に対して偏心する偏軸の偏軸位置にあり、前記軸心と前記偏軸位置との間には特定の距離があり、前記特定の距離は１mm〜５mmである。
【００１２】
上述の目的を達成するために、本考案は、ランプ装置を提案する。前記ランプ装置は、中心軸及び軸心を有するベースと、前記中心軸を基準として前記ベースの上に非対称的に配置され、且つ第一表面、第二表面及び前記中心軸対して偏心する偏軸を有する突出部と、を含み、前記突出部は、第一表面の上に配置されるＬＥＤ本体と、第二表面の上に配置される放熱構造と、を更に含み、前記偏軸は、前記放熱構造を通過し、前記中心軸は、前記ＬＥＤ本体を通過し、前記軸心と前記偏軸位置との間には特定の距離があり、前記特定の距離は１mm〜５mmである。
【００１３】
上述の目的を達成するために、本考案は、ランプ装置を提案する。前記ランプ装置は、第一中心軸を有し、第二中心軸を有するベースと、第三中心軸を有する突出部と、を更に含み、前記第二中心軸は、前記第一中心軸と重なり、前記第三中心軸と前記第二中心軸との間にはオフセットがあり、前記オフセットは１mm〜５mmであることを特徴とするランプ装置。
【図面の簡単な説明】
【００１４】
【図１】従来のＬＥＤランプベースを示す模式図。
【図２】従来の車両の昼間点灯を示す模式図。
【図３（ａ）】本考案の好ましい実施形態に係るランプ装置３０を示す模式図。
【図３（ｂ）】本考案の好ましい実施形態に係るランプ装置３０を示す模式図。
【図３（ｃ）】本考案の好ましい実施形態に係るランプ装置３０を示す模式図。
【図３（ｄ）】本考案の好ましい実施形態に係るランプ装置３０を示す模式図。
【図４（ａ）】従来のＨＩＤランプの出射光の照射区域及び明るさを示す模式図。
【図４（ｂ）】本考案の好ましい実施形態に係るＬＥＤランプ装置の出射光の照射区域及び明るさを示す模式図。
【図５（ａ）】本考案の好ましい実施形態に係るランプ装置を示す模式図。
【図５（ｂ）】本考案の好ましい実施形態に係るランプ装置を示す模式図。
【図５（ｃ）】本考案の好ましい実施形態に係るランプ装置を示す模式図。
【図５（ｄ）】本考案の他の好ましい実施形態に係るランプ装置を示す模式図。
【図６（ａ）】本考案の他の好ましい実施形態に係るランプ装置を示す模式図。
【図６（ｂ）】本考案の他の好ましい実施形態に係るランプ装置を示す模式図。
【図７（ａ）】本考案の好ましい実施形態に係る偏軸は上方にある出射光路を示す模式図。
【図７（ｂ）】本考案の好ましい実施形態に係る偏軸は下方にある出射光路を示す模式図。
【図７（ｃ）】本考案の好ましい実施形態に係る偏軸は下方にある出射ライトフィールドを示す模式図。
【図８（ａ）】本考案の他の好ましい実施形態に係るランプ装置を示す側面図。
【図８（ｂ）】本考案の好ましい実施形態に係る突出部は上方にオフセットすることを示す模式図。
【図８（ｃ）】本考案の好ましい実施形態に係る突出部は上方にオフセットすることを示す模式図。
【図８（ｄ）】本考案の好ましい実施形態に係る支持オブジェクト及びヒートシンクは、突出部に連結することを示す模式図。
【図９】本考案の他の好ましい実施形態に係るランプ装置７０を示す模式図。
【考案の実施の形態】
【００１５】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１６】
図３（ａ）〜（ｄ）は、本考案の好ましい実施形態に係るランプ装置３０を示す模式図である。前記ランプ装置３０は、ＬＥＤユニット３２を含む。前記ＬＥＤユニット３２は、ベース３０１と、突出部３０２と、第一ＬＥＤ本体３０３と、第二ＬＥＤ本体３０４と、を含む。前記ベース３０１は、中心軸AxisC１及び軸心AC１を有する。前記突出部３０２は、前記中心軸AxisC１を基準として前記ベース３０１の上に非対称に配置され、且つ第一表面３０２１、第二表面３０２２及び前記中心軸AxisC２に対して偏心する偏軸AxisOff１を有する。前記第一ＬＥＤ本体３０３は、前記第一表面３０２１の上に配置され、且つ第一所定の参考線L-R１に基づいて配列される。前記第二ＬＥＤ本体３０４は、前記第二表面３０２２の上に配置され、且つ第二所定の参考線L-R２に基づいて配列され、前記偏軸AxisOff１は、前記第一ＬＥＤ本体３０３を通過し、前記中心軸AxisC１は、前記第二ＬＥＤ本体３０４を通過し、前記軸心AC１と前記偏軸AxisOff１との間には特定の距離Ｄ１があり、前記特定の距離Ｄ１は１mm〜５mmである。
【００１７】
図３（ａ）〜（ｄ）において、前記第一所定の参考線L-R１及び前記第二所定の参考線L-R２は、共に前記中心軸AxisC１と垂直であり、前記第一所定の参考線L-R１と前記第二所定の参考線L-R２は、平行であり、前記第一所定の参考線L-R１と前記第二所定の参考線L-R２との間には前記特定の距離Ｄ１がある。前記ベース３０１は、円盤３０１０を更に有し、前記円盤３０１０は、前記中心軸AxisC１に対して互いに対称な位置に配置される二つの半円形のノッチ３０１１、３０１２を有し、前記軸心AC１と前記偏軸AxisOff１の偏軸位置AOｆｆ１との間に配置される結合孔３０１３を更に有する。前記突出部３０２は、略長方形のシート３０６及び略半円形の反射ユニット３０５を有し、前記略長方形のシート３０６は、第一端３０６１及び第二端３０６２を有し、前記第一端３０６１は、前記結合孔３０１３と結合し（例えば、前記第一端３０６１は、前記結合孔３０１３に嵌合される）、且つ前記第二端３０６２は、前記略半円形の反射ユニット３０５と結合する。前記略長方形のシート３０６は、前記第一表面３０２１及び前記第二表面３０２２を有し、且つ前記第一表面３０２１と前記第二表面３０２２は共に平面である。
【００１８】
好ましい実施形態において、結合孔３０１３は、ヒートシンクに連結されてもよい（図示せず）、前記ヒートシンクは、ランプ装置３０のバックシェル（図示せず）に連結して放熱することができる。前記ヒートシンクと前記バックシェルとの間は、可撓性素子をによって連結されることができる。
【００１９】
図３（ａ）〜（ｄ）において、前記第一ＬＥＤ本体３０３は、複数の第一ＬＥＤランプ芯３０３０を含み、前記第二ＬＥＤ本体３０４は、複数の第二ＬＥＤランプ芯３０４０を含み、第一ＬＥＤランプ芯３０３０のそれぞれは、矩形であり、且つ前記第一所定の参考線L-R１に配列され、前記第一所定の参考線L-R１は、第一直線であり、第二ＬＥＤランプ芯３０４０のそれぞれは、矩形であり、且つ前記第二所定の参考線L-R２に配列され、前記第二所定の参考線L-R２は、第二直線であり、前記第一直線と前記第二直線は、平行であり、且つ前記第一直線と前記第二直線との間は、前記特定の距離Ｄ１に等しく垂直距離を有する。前記第一所定の参考線L-R１及び前記第二所定の参考線L-R２は、出射ライトフィールドに従って設計され、他の様々な配列する形状は限定されない。第一ＬＥＤランプ芯３０３０のそれぞれは、第一厚さTLED１を有し、第二ＬＥＤランプ芯３０４０のそれぞれは、第二厚さTLED２を有し、前記略長方形のシート３０６は、第三厚さＤ３を有し、且つ前記特定の距離Ｄ１は、前記第一厚さTLED１の１/２、前記第二厚さTLED２の１/２及び前記第三厚さＤ３の和に等しい。別の好ましい実施形態において、前記特定の距離Ｄ１は、前記第一厚さTLED１、前記第二厚さTLED２及び前記第三厚さＤ３の和に等しい。
【００２０】
図４（ａ）は、従来のＨＩＤランプの出射光の照射区域及び明るさを示す模式図であり、図４（ｂ）は、本考案の好ましい実施形態に係るＬＥＤランプ装置の出射光の照射区域及び明るさを示す模式図である。図４（ａ）において、従来のＨＩＤランプの出射光の照射区域Reg０は、前記中心軸AxisC1の近くにx軸に平行に延びる。図４（ｂ）において、ＬＥＤランプ装置の出射光の照射区域は、少なくとも二つの区域を含む。図３（ａ）〜（ｄ）及び図４（ｂ）を同時に参照し、前記ランプの装置３０は、リフレクター（図示せず）を更に含み、前記リフレクターは、ＨＩＤランプの標準のＨ３電球の規格に従うリフレクターであり、その反射面の形状及び構造は、変更されていない。図４（ｂ）に示すように、前記リフレクターは、前記第一ＬＥＤ本体３０３からの光を反射して第一ライトフィールドReg１及び第二ライトフィールドReg２を形成する。図３（ａ）〜（ｂ）、図３（ｄ）及び図４（ｂ）を同時に参照し、前記中心軸AxisC１は、前記第二ＬＥＤ本体３０４を通過し、且つ前記第一ＬＥＤ本体３０３は、前記中心軸AxisC１の上にある時（y軸正方向のx-y平面）、前記第二ライトフィールドReg２は、前記中心軸AxisC１の近くにあり、且つ平行に延び、且つ前記第一ライトフィールドReg1は、前記中心軸AxisC１の下にあり、且つ扇形に延び、即ち、図３（ａ）においてのy軸負方向のx-y平面に扇形に延びる。他の好ましい実施形態において、前記中心軸AxisC１は、前記第二ＬＥＤ本体３０４を通過し、且つ前記第一ＬＥＤ本体３０３は、前記中心軸AxisC１の下にある時（y軸負方向のx-y平面）、前記第二ライトフィールドReg２は、前記中心軸AxisC１の近くにあり、且つ平行に延び、且つ前記第一ライトフィールドReg1は、前記中心軸AxisC１の上にあり、且つ扇形に延び、即ち、図３（ａ）においてのy軸正方向のx-y平面に扇形に延びる。
【００２１】
標準の規格に従うＨ３電球をＬＥＤランプに置き換える場合、リフレクターの反射面の形状及び構造設計が変更されていない場合、本考案の好ましい実施形態のＬＥＤユニット３０が配置されている時、偏軸AxisOff１が中心軸AxisC１の上に（y軸正方向のx-y平面）、ＬＥＤユニット３０がリフレクターの上に設けられている。これは、よく設計及び模擬した後、図４（b）に示すような出射光のライトフィールドが得られる。前記第一ライトフィールドReg1は、対向車の運転者の目を刺激しないように、出射光を低くし、且つ第二ライトフィールドReg２の光を輔助することができ、安全、明るい及び快適な車のヘッドライトの光照射効果を達成することができる。もちろん、ユーザーの需要により、リフレクターの反射面の形状及び構造設計が変更されていない場合、本考案の好ましい実施形態のＬＥＤユニット３０が配置されている時、偏軸AxisOff１が中心軸AxisC１の下に（y軸負方向のx-y平面）、ＬＥＤユニット３０がリフレクターの上に設けされていてもよい。現時点では、第一ＬＥＤユニット形成する出射光のライトフィールドReg１は、中心軸AxisC１の上（即ち、y軸正方向のx-y平面）にあり、車の前方はより明るくなっているが、対向車の運転者の目を刺激するのは容易であり、安全の顧慮を引き起こす。また、必要に応じて、ＬＥＤユニット３０をリフレクターに配置してもよい。以上により、偏軸AxisOff１位置の上にある第一ＬＥＤ本体３０３の出射光は、補償効果を生成することができる。
【００２２】
他の好ましい実施形態において、リフレクターの反射面の形状及び構造設計が変更されていない場合、上下逆になるように設計されていれば、ＬＥＤユニット３０がリフレクターに設けられる時、偏軸AxisOff1は、中心軸AxisC1の下に（y軸負方向のx-y平面）あるべき、図４（b）に示すような出射光のライトフィールドの効果を得られる。他には、例えば、偏軸AxisOff１が中心軸AxisC1の左又は右にあることは、需要に応じて適宜に調整してもよく、本考案の精神を逸脱しない。一般的には、照射光のライトフィールドの明るさ又は光の合焦区域を改善する場合、Ｈ３の電球の規格は、公定の規格であるため、その規格を改善することなく、リフレクターだけを改善する。本考案は、公定の規格のＨ３電球を改善し、当業者の長年にわたる深い技術的偏見を克服する。
【００２３】
図５（ａ）〜（ｃ）に示すように、本考案の他の好ましい実施形態において、複数の第一ＬＥＤランプ芯３０３０及び複数の第二ＬＥＤランプ芯３０４０を単一の第一矩形のＬＥＤランプ芯４０３０及び単一の第二矩形のＬＥＤランプ芯４０４０にそれぞれ置き換えられてもよい。
【００２４】
図５（ａ）〜（ｃ）は、本考案の好ましい実施形態に係るランプ装置４０を示す模式図である。ランプ装置４０は、ＬＥＤユニット４２を含む。前記ＬＥＤユニット４２は、ベース４０１と、突出部４０２と、第一ＬＥＤ本体４０３と、を含む。前記ベース４０１は、参考軸AxisC２及び軸心AC２を有する。前記突出部４０２は、前記参考軸AxisC２に対して前記ベース４０１の上に非対称に配置される。前記第一ＬＥＤ本体４０３は、前記突出部４０２に配置され、且つ前記第一ＬＥＤ本体４０３の前記ベース４０１の上の投影位置PJP１（図５（ｄ）参照）は、前記参考軸AxisC２に対して偏軸位置AOｆｆ２にあり、前記軸心AC２と前記偏軸位置AOｆｆ２との間には特定の距離Ｄ２があり、前記特定の距離Ｄ２は１mm〜５mmである。
【００２５】
図５（ａ）〜（ｃ）において、前記第一ＬＥＤ本体４０３は、第一所定の参考線L-R３に基づいて配列さる。前記ランプの装置４０は、第二ＬＥＤ本体４０４を更に含み、前記第二ＬＥＤ本体４０４は、前記突出部４０２に配置され、且つ第二所定の参考線L-R４に基づいて配列され、前記参考軸AxisC２は、前記第二ＬＥＤ本体４０４を通過し、且つ前記第一所定の参考線L-R３と前記第二所定の参考線L-R４は平行であり、前記第一所定の参考線と前記第二所定の参考線との間には前記特定の距離Ｄ２がある。前記第一ＬＥＤ本体４０３は、単一の第一矩形のＬＥＤランプ芯４０３０を含み、前記第二ＬＥＤ本体４０４は、単一の第二矩形のＬＥＤランプ芯４０４０を含み、前記単一の第一矩形のＬＥＤランプ芯４０３０の長さの方向Dir1は、前記第一所定の参考線L-R３の第一所定の方向であり、前記単一の第二矩形のＬＥＤランプ芯Dir２の長さの方向は、前記第二所定の参考線L-R４の第二所定の方向である。前記第一ＬＥＤ本体４０３及び前記第二ＬＥＤ本体４０４は、配列ＬＥＤランプ芯を含んでもよい。
【００２６】
図５（ａ）〜（ｃ）において、前記ベース４０１は、円盤４０１０を有し、前記円盤４０１０は、前記参考軸AxisC２に対して互いに対称な位置に配置される矩形のノッチ４０１１及び半円形のノッチ４０１２を有し、前記軸心AC２と前記偏軸の前記偏軸位置AxisOff２との間に配置される結合孔４０１３を更に有する。一般的には、すべてのＨ３ランプベースの固定機構の規格又はリフレクターの設置方式をできる限り満たすために、ＬＥＤユニット３０、４０を固定するための二つの半円形のノッチ３０１１、３０１２は、同じ形状及び大きさを有してもよく、一方の側は矩形のノッチ４０１１であり、他方の側は半円形のノッチでもよい。前記矩形のノッチ４０１１は、前記ＬＥＤユニット４０がリフレクターに設置される時、前記偏軸AxisOff２が上側、下側、左側又は右側に偏することを示す。
【００２７】
好ましい実施形態において、結合孔４０１３は、ヒートシンクに連結されてもよい（図示せず）、前記ヒートシンクは、ランプ装置３０のバックシェル（図示せず）に連結されて放熱することができる。前記ヒートシンクと前記バックシェルとの間は、可撓性素子をによって連結されることができる。
【００２８】
図５（ａ）〜（ｃ）において、前記突出部４０２は、略円筒形のシート４０６及び略半円形の遮蔽ユニット４０５を有し、前記略円筒形のシート４０６は、第一端４０６１及び第二端４０６２を有し、前記第一端４０６１は、前記結合孔４０１３と結合し、且つ前記第二端４０６２は、前記略半円形の遮蔽ユニット４０５と結合し、前記略円筒形のシート４０６は、円筒の両面を対称に平坦化して形成され、且つ第一矩形の平面４０２１及び第二矩形の平面４０２２を有し、前記第一ＬＥＤ本体４０３は、前記第一矩形の平面４０２１に配置され、前記第二ＬＥＤ本体４０４は、前記第二矩形の平面４０２２に配置される。
【００２９】
また、好ましい実施形態において、前記第一ＬＥＤ本体４０３及び前記第二ＬＥＤ本体４０４は、それぞれ単一の第一楕円形のＬＥＤランプ芯及び単一の第二楕円形のＬＥＤランプ芯でもよく、前記単一の第一楕円形のＬＥＤランプ芯の長軸の方向Dir１は、前記第一所定の参考線L-R３の第一所定のの方向であり、前記単一の第二楕円形のＬＥＤランプ芯の長軸の方向Dir２は、前記第二所定の参考線L-R４の第二所定のの方向である。前記単一の第一楕円形のＬＥＤランプ芯は、第一厚さTLED３を有し、前記単一の第二楕円形のＬＥＤランプ芯は、第二厚さTLED４を有し、前記略円筒形のシート４０６は、第三厚さＤ４を有し、前記特定の距離Ｄ２は、前記第一厚さTLED３、前記第二厚さTLED４及び前記第三厚さＤ４の和に等しい。
【００３０】
図５（ａ）において、前記略半円形の遮蔽ユニット４０５は、前記略半円形の遮蔽ユニット４０５と前記略円筒形のシート４０６との接合部に第一扇形の平面４０５１及び第二扇形の平面４０５２とを有する。前記第一扇形の平面４０５１と前記第二扇形の平面４０５２とは、共に複数のストレートのストライプの図案を有する反射面である。前記第一扇形の平面４０５１及び前記第二扇形の平面４０５２は、反射面とするだけではなく、前記第一ＬＥＤ本体４０３及び前記第二ＬＥＤ本体４０４からの光を部分的に遮蔽することができる。これにより、対向車にあまりにも多くの光が直接照らして対向車の運転者が眩しさを感じさせることを避けることができる。図５（ａ）及び図４（ｂ）を同時に参照し、前記第一扇形の平面４０５１は、前記第一ＬＥＤ本体４０３からの光を部分的に遮蔽して第一ライトフィールドReg１を形成し、且つ前記第二扇形の平面４０５２は、前記第二ＬＥＤ本体４０３からの光を部分的に遮蔽して第二ライトフィールドReg２を形成し、前記部分的に遮蔽することにより、前記第一ライトフィールドReg１及び前記第二ライトフィールドReg２は、前記参考軸AxisC２（即ち、図４（ｂ）においてのｚ軸）上の水平面と地面との間の区域（即ち、図４（ｂ）においてのy軸負方向のx-y平面）を超えない。
【００３１】
上記のように、図５（ｄ）は、本考案の他の好ましい実施形態に係るランプ装置４０を示す模式図である。本考案の他の好ましい実施形態において、図５（ｄ）と図５（ｃ）の違いは、前記突出部４０２は、円筒形構造４４１及び偏軸AxisOff２と参考軸AxisC２との間にある傘状構造４４２を有する。図５（ｄ）に示すように、前記傘状構造４４２は、傘柱構造４４２１及び傘面構造４４２２を有し、前記傘柱構造４４２１は、前記参考軸AxisC２と前記偏軸AxisOff２との間にあり、且つ前記円筒形構造４４１の第二端４４１２と結合し、前記円筒形構造の中心軸は、前記ベース４０１の中心軸と重なり、且つ前記円筒形構造４４１の第一端４４１１は、前記ベース４０１と結合する。図５（ｄ）から分かるように、単一の第一矩形のＬＥＤランプ芯４０３０は、前記突出部４０２によって前記ベース４０１の上に設けられ、且つ前記第一ＬＥＤランプ芯４０３０の前記ベース４０１上の投影位置PJP１は、前記参考軸AxisC２に対して偏心する偏軸位置AOff２にあり、前記軸心AC２と前記偏軸位置AOff２との間には特定の距離Ｄ２があり、前記特定の距離Ｄ２は１mm〜５mmである。前記ベース４０１は、ECE R３７規範に準拠するベースであり、例えば、Ｈ３電球のベースである。第一ＬＥＤ本体４０３から射出する光が前記傘面構造４４２２に着くとき、前記傘柱構造の遮光角度は、約０〜３０度であり、第二ＬＥＤ本体４０４から射出する光も同じ状況である。前記傘柱構造の長さは、出射光の焦点距離に応じるために約１５mm〜２０mmである。
【００３２】
図６（ａ）は、本考案の他の好ましい実施形態に係るランプ装置５０を示す模式図である。ランプ装置５０は、ＬＥＤユニット５２を含み、前記ＬＥＤユニット５２は、ベース５０１と、第一ＬＥＤランプ芯５４と、を含む。前記ベース５０１は、中心軸AxisC３及び軸心AC３を有する。前記第一ＬＥＤランプ芯５４は、前記ベース５０１の上に設けられ、且つ前記第一ＬＥＤランプ芯５４の前記ベース５０１上の投影位置PJP２は、前記中心軸AxisC３に対して偏心する偏軸位置AOｆｆ３にあり、前記軸心AC３と前記偏軸位置AOｆｆ３との間には特定の距離D５があり、前記特定の距離Ｄ5は１mm〜５mmである。
【００３３】
図６（ｂ）は、本考案の他の好ましい実施形態に係るランプ装置を示す模式図である。前記第一ＬＥＤランプ芯５４は、突出部５０２によって間接的に前記ベース５０１の上に設けられる。前記突出部５０２は、曲がった傘状構造５０３を有し、前記曲がった傘状構造５０３は、傘面構造５０３２及び曲がった柱５０３１を含む。前記曲がった柱５０３１は、前記傘面構造５０３２と結合し、且つ第一サブ柱５０３３、第二サブ柱５０３４及び曲がった部５０３５を含む。前記第一サブ柱５０３３は、前記ベース５０１の前記中心軸AxisC３と重なり、且つ前記ベース５０１と結合する。前記第二サブ柱５０３４は、前記偏軸AxisOff３と前記中心軸AxisC３との間に配置され、且つ前記傘面構造５０３２と結合する。前記曲がった部５０３５は、前記第一サブ柱５０３３を前記第二サブ柱５０３４と結合する。
【００３４】
図６（ｂ）において、前記ランプの装置５０は、リフレクター５５及び第二ＬＥＤランプ芯５６を更に含む。好ましい実施形態において、前記第一ＬＥＤランプ芯５４は、第一厚さTLED５を有し、前記第二ＬＥＤランプ芯５６は、第二厚さTLED６を有し、第一サブ柱５０３３は、直径TK１を有する円筒でもよく、前記第二サブ柱５０３４は、厚さTK２を有する矩形のシートでもよく、前記直径TK１及び前記厚さTK２の和は、前記曲がった部の長さに等しいが、厚さTLED５、TK２及び直径TK１の和は、前記特定の距離Ｄ５に等しい限り、前記直径TK１及び前記厚さTK２の和を任意に調整してもよい。本実施形態では、好ましくは、第二厚さTLED６は、第一サブ柱５０３３の直径TK１に等しい。当然、第二厚さTLED６は、直径TK１に等しくなくてもよく、例えば、直径TK１が不変である場合、厚さTK２は、y軸負方向に漸進的に増加させると、第二厚さTLED６を減少させると共に、中心軸AxisC３は、第二ＬＥＤランプ芯５６を通過させることができる。又は、曲がった部５０３５の長さは、y軸正方向に漸進的に増加させる時、第一厚さTLED５を減少させると共に、偏軸AxisOff３は、第一ＬＥＤランプ芯５４を通過させることができる。
【００３５】
図４（ｂ）及び図６（ｂ）を同時に参照し、前記中心軸AxisC３は、前記第二ＬＥＤランプ芯５６を通過し、且つ前記第一ＬＥＤランプ芯５４は、前記中心軸AxisC３の上（即ち、y軸正方向）にある時、前記第二ライトフィールドReg２は、前記中心軸AxisC３の近くにあり、且つ平行に延び、且つ前記第一ライトフィールドReg１は、前記中心軸AxisC３の下にあり、且つ扇形に延びる（即ち、y軸負方向のx-y平面に扇形に延びる）。図４（ｂ）及び図６（ｂ）を同時に参照し、他の好ましい実施形態において、前記中心軸AxisC３は、前記第二ＬＥＤランプ芯５６を通過し、且つ前記第一ＬＥＤランプ芯５４は、前記中心軸AxisC３の下（即ち、y軸負方向）にある時、前記第二ライトフィールドReg２は、前記中心軸AxisC３の近くにあり、且つ平行に延び、且つ前記第一ライトフィールドReg１は、前記中心軸AxisC３の上にあり、且つ扇形に延びる（即ち、y軸負方向のx-y平面に扇形に延びる）。
【００３６】
図７（ａ）は、本考案の好ましい実施形態に係る偏軸AxisOff３が上方にある出射光路を示す模式図であり、図７（ｂ）は、本考案の実施形態に係る偏軸は下方にある出射光路を示す模式図である。図７（ａ）及び図７（ｂ）を同時に参照し、偏軸AxisOff３の上にある第一ＬＥＤランプ芯５４から発する光は、リフレクター５５で反射して第一出射光Emit１を形成し、前記第一出射光Emit１は、図４（ｂ）においての第一ライトフィールドReg１を形成する。中心軸AxisC３の上にある第二ＬＥＤランプ芯５６から発する光は、リフレクター５５で反射して第二出射光Emit２を形成し、前記第二出射光Emit２は、図４（ｂ）においての第二ライトフィールドReg２を形成する。
【００３７】
本考案の他の好ましい実施形態においては、偏軸AxisOff３が、中心軸AxisC３の下に配置される。図７（ｃ）は、本考案の好ましい実施形態に係る偏軸AxisOff３が下方にある時の出射ライトフィールドを示す模式図である。図７（ｂ）及び図７（ｃ）を同時に参照し、偏軸AxisOff３の上にある第一ＬＥＤランプ芯５４から発する光は、リフレクター５５で反射して第一出射光Emit３を形成し、前記第一出射光Emit３は、図７（ｃ）においての第一ライトフィールドReg３を形成する。中心軸AxisC３の上にある第二ＬＥＤランプ芯５６から発する光は、リフレクター５５で反射して第二出射光Emit４を形成し、前記第二出射光Emit４は、図７（ｃ）においての第二ライトフィールドReg４を形成する。図７（ａ）〜図７（ｃ）及び図４（ｂ）から見れば、本考案に係るランプ装置５０が形成される出射光路及びライトフィールドを知ることができる。
【００３８】
他の好ましい実施形態においては、中心軸AxisC３の上にある第二ＬＥＤランプ芯５６の他側の第一ＬＥＤランプ芯５４を省略し、放熱構造に変更することができる。図８（ａ）は、本考案の他の好ましい実施形態に係るランプ装置６０を示す側面図である。前記ランプ装置６０は、ＬＥＤユニット６２を含み、前記ＬＥＤユニット６２は、ベース６０１と、突出部６０２と、ＬＥＤ本体６０３と、を含み、前記ベース６０１は、中心軸AxisC４を有し、且つ支持オブジェクト６０４及びヒートシンク６０５を含み、前記支持オブジェクト６０４は、例えば、ランプパネルである。前記突出部６０２は、第一表面６０２１及び第二表面６０２２を有し、前記ＬＥＤ本体６０３は、前記第一表面６０２１と前記中心軸AxisC４との交点の近くに配置され、放熱構造６０６は、前記第二表面６０２２に配置される。前記放熱構造６０６は、複数の溝槽６０７を有し、前記突出部６０２は、良好な熱伝導体であり、例えば、金属のような材料である。複数の溝槽６０７は、交互に配列されて複数の放熱フィン６０８を形成することができ、ＬＥＤ本体６０３の熱量は、複数の溝槽６０７及び複数の放熱フィン６０８によって放熱することができる。
【００３９】
図８（ｂ）及び図８（ｃ）に示すように、前記突出部６０２は、前記中心軸AxisC４に対して非対称に前記ＬＥＤユニット６２に配置される。図８（ｂ）は、本考案の好ましい実施形態に係る突出部は上方にオフセットすることを示す模式図である。図８（ｃ）は、本考案の好ましい実施形態に係る突出部は下方にオフセットすることを示す模式図である。図８（ｂ）において、中心軸AxisC４は、支持オブジェクト６０４の中心位置にあり、突出部６０２は、上向きにオフセットOFS１をオフセットする。突出部６０２の中心位置OC１も、中心軸AxisC４の位置から上向きに前記オフセットOFS１をオフセットする。元々オフセットしない突出部６０２の投影輪廓CC１は、オフセットした突出部６０２と比較することができる。オフセットOFS１は、１mm〜５mmであることが好ましい。図８（ｃ）において、中心軸AxisC４は、支持オブジェクト６０４の中心位置にあり、突出部６０２は、下向きにオフセットOFS２をオフセットする。突出部６０２の中心位置OC１も、中心軸AxisC４の位置から下向きに前記オフセットOFS２をオフセットする。元々オフセットしない突出部６０２の投影輪廓CC１は、オフセットした突出部６０２と比較することができる。オフセットOFS２は、１mm〜５mmであることが好ましい。
【００４０】
図８（ｄ）は、本考案の好ましい実施形態に係る支持オブジェクト６０４及びヒートシンク６０５は、突出部６０２に連結することを示す模式図である。支持オブジェクト６０４は、第一連結ユニット６０９及び第二連結ユニット６１０によって前記突出部６０２に連結され、第一連結ユニット６０９及び前記第二連結ユニット６１０は、ねじであることができる。ヒートシンク６０５は、第三連結ユニット６１１によって前記支持オブジェクト６０４及び前記突出部６０２に連結され、且つ可撓性放熱ユニット（図示せず）によってリフレクター５５に連結されることができる。これについて、出願人が２０１６年９月２６日に出願された台湾出願第１０５２１４７５３号を参照ください、ここで繰り返し説明しない。
【００４１】
図９は、本考案の好ましい実施形態に係る他のランプ装置７０を示す模式図である。前記ランプ装置７０は、第一中心軸AxisC５を有し、ベース７０１と、突出部７０２と、を更に含む。前記ベース７０１は、第二中心軸AxisC６を有し、前記突出部７０２は、第三中心軸AxisC７を有し、前記第二中心軸AxisC６は、前記第一中心軸AxisC５と重なり、前記第三中心軸AxisC７と前記第二中心軸AxisC６との間にはオフセットOFS３があり、前記オフセットOFS３は１mm〜５mmである。図９において、第一中心軸AxisC５、第二中心軸AxisC６及び第三中心軸AxisC７は、中心点Ｃ５、Ｃ６及びＣ７をそれぞれ通過する。中心点Ｃ５は、例えば、Ｈ３ランプベースの幾何中心点であり、中心点Ｃ６は、例えば、Ｈ３ランプパネルの幾何中心点であり、中心点Ｃ７は、例えば、ＬＥＤランプ芯を置く物の幾何中心点である。
【００４２】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００４３】
（実施例）
【００４４】
１、ランプ装置は、ＬＥＤユニットを備え、前記ＬＥＤユニットは、中心軸及び軸心を有するベースと、前記中心軸を基準として前記ベースの上に非対称的に配置され、第一表面、第二表面及び前記中心軸に対して偏心する偏軸を有する突出部と、前記第一表面の上に配置され、第一所定の参考線に基づいて配列される第一ＬＥＤ本体と、前記第二表面の上に配置され、第二所定の参考線に基づいて配列される第二ＬＥＤ本体と、を含み、前記偏軸は、前記第一ＬＥＤ本体を通過し、前記中心軸は、前記第二ＬＥＤ本体を通過し、前記軸心と前記偏軸位置との間には特定の距離があり、前記特定の距離は１mm〜５mmである。
【００４５】
２、実施例１に記載のランプ装置において、前記第一所定の参考線と前記第二所定の参考線とは、前記中心軸に共に直交し、前記第一所定の参考線と前記第二所定の参考線は、平行であり、前記第一所定の参考線と前記第二所定の参考線との間には前記特定の距離があり、前記ベースは、円盤を更に有し、前記円盤は、前記中心軸に対して互いに対称な位置に配置される二つの半円形のノッチを有し、前記軸心と前記偏軸の偏軸位置との間に配置される結合孔を更に有し、前記突出部は、略長方形のシート及び略半円形の反射ユニットを有し、前記略長方形のシートは、第一端及び第二端を有し、前記第一端は、前記結合孔と結合し、且つ前記第二端は、前記略半円形の反射ユニットと結合し、前記略長方形のシートは、前記第一表面及び前記第二表面を有し、且つ前記第一表面と前記第二表面は共に平面であり、前記第一ＬＥＤ本体は、複数の第一ＬＥＤランプ芯を含み、前記第二ＬＥＤ本体は、複数の第二ＬＥＤランプ芯を含み、前記複数の第一ＬＥＤランプ芯のそれぞれは、矩形であり、且つ第一直線に配列され、前記複数の第二ＬＥＤランプ芯のそれぞれは、矩形であり、且つ第二直線に配列され、前記第一直線と前記第二直線は、平行であり、且つ前記第一直線と前記第二直線との間は、前記特定の距離に等しい垂直距離を有し、前記複数の第一ＬＥＤランプ芯のそれぞれは、第一厚さを有し、前記複数の第二ＬＥＤランプ芯のそれぞれは、第二厚さを有し、前記略長方形のシートは、第三厚さを有し、且つ前記特定の距離は、前記第一厚さの１/２、前記第二厚さの１/２及び前記第三厚さの和に等しい。
【００４６】
３、実施例１〜２に記載のランプ装置において、前記ランプ装置は、リフレクターを更に含み、前記突出部は、略長方形のシート及び略半円形の反射ユニットを有し、前記リフレクターは、前記第一ＬＥＤ本体からの光を反射して第一ライトフィールド及び第二ライトフィールドを形成し、前記中心軸は、前記第二ＬＥＤ本体を通過し、且つ前記第一ＬＥＤ本体は、前記中心軸の上にある時、前記第二ライトフィールドは、前記中心軸の近くにあり、且つ平行に延び、前記第一ライトフィールドは、前記中心軸の下にあり、且つ扇形に延び、前記中心軸は、前記第二ＬＥＤ本体を通過し、且つ前記第一ＬＥＤ本体は、前記中心軸の下にある時、前記第二ライトフィールドは、前記中心軸の近くにあり、且つ平行に延び、前記第一ライトフィールドは、前記中心軸の上にあり、且つ扇形に延び、前記第一ＬＥＤ本体は、単一の第一矩形のＬＥＤランプ芯を含み、前記第二ＬＥＤ本体は、単一の第二矩形のＬＥＤランプ芯を含み、前記単一の第一矩形のＬＥＤランプ芯の長さの方向は、前記第一所定の参考線の第一所定の方向であり、前記単一の第二矩形のＬＥＤランプ芯の長さの方向は、前記第二所定の参考線の第二所定の方向である。
【００４７】
４、ランプ装置は、ＬＥＤユニットを備え、前記ＬＥＤユニットは、参考軸及び軸心を有するベースと、前記参考軸に対して前記ベースの上に非対称的に配置される突出部と、前記突出部に配置される第一ＬＥＤ本体と、を含み、前記第一ＬＥＤ本体の前記ベースの上の投影位置は、前記参考軸に対して偏心する偏軸位置にあり、前記軸心と前記偏軸位置との間には特定の距離があり、前記特定の距離は１mm〜５mmである。
【００４８】
５、実施例４に記載のランプ装置において、前記第一ＬＥＤ本体は、第一所定の参考線に基づいて配列され、前記ランプ装置は、第二ＬＥＤ本体を更に含み、前記第二ＬＥＤ本体は、前記突出部に配置され、且つ第二所定の参考線に基づいて配列され、前記参考軸は、前記第二ＬＥＤ本体を通過し、且つ前記第一所定の参考線と前記第二所定の参考線は、平行であり、前記第一所定の参考線と前記第二所定の参考線との間には前記特定の距離があり、前記ベースは、円盤を有し、前記円盤は、前記参考軸に対して互いに対称な位置に配置される矩形のノッチ及び半円形のノッチを有し、前記軸心と前記偏軸の前記偏軸位置との間に配置される結合孔を更に有し、前記突出部は、略円筒形のシート及び略半円形の遮蔽ユニットを有し、前記略円筒形のシートは、第一端及び第二端を有し、前記第一端は、前記結合孔と結合し、且つ前記第二端は、前記略半円形の遮蔽ユニットと結合し、前記略円筒形のシートは、円筒の両面を対称に平坦化して形成され、且つ第一矩形の平面及び第二矩形の平面有し、前記第一ＬＥＤ本体は、前記第一矩形の平面に配置され、前記第二ＬＥＤ本体は、前記第二矩形の平面に配置され、前記第一ＬＥＤ本体は、単一の第一楕円形のＬＥＤランプ芯を含み、前記第二ＬＥＤ本体は、単一の第二楕円形のＬＥＤランプ芯を含み、前記単一の第一楕円形のＬＥＤランプ芯の長軸の方向は、前記第一所定の参考線の第一所定の方向であり、前記単一の第二楕円形のＬＥＤランプ芯の長軸の方向は、前記第二所定の参考線の第二所定の方向であり、前記単一の第一楕円形のＬＥＤランプ芯は、第一厚さを有し、前記単一の第二楕円形のＬＥＤランプ芯は、第二厚さを有し、前記略円筒形のシートは、第三厚さを有し、前記特定の距離は、前記第一厚さ、前記第二厚さ及び前記第三厚さの和に等しい。
【００４９】
６、実施例４〜５に記載のランプ装置において、前記ランプ装置は、第二ＬＥＤ本体を更に含み、前記第二ＬＥＤ本体は、前記突出部に配置され、且つ第二所定の参考線に基づいて配列され、前記参考軸は、前記第二ＬＥＤ本体を通過し、前記突出部は、略円筒形のシート及び略半円形の遮蔽ユニットを有し、前記略半円形の遮蔽ユニットは、前記略半円形の遮蔽ユニットと前記略円筒形のシートとの接合部に第一扇形の平面及び第二扇形の平面とを有し、前記第一扇形の平面と前記第二扇形の平面とは、共に複数のストレートのストライプの図案を有する反射面であり、前記第一扇形の平面は、前記第一ＬＥＤ本体からの光を部分的に遮蔽して第一ライトフィールドを形成し、且つ前記第二扇形の平面は、前記第二ＬＥＤ本体からの光を部分的に遮蔽して第二ライトフィールドを形成し、前記部分的に遮蔽することにより、前記第一ライトフィールド及び前記第二ライトフィールドは、前記参考軸上の水平面と地面との間の区域を超えない。
【００５０】
７、ランプ装置は、ＬＥＤユニットを備え、前記ＬＥＤユニットは、中心軸及び軸心を有するベースと、前記ベースの上に設けられる第一ＬＥＤランプ芯と、を含み、前記第一ＬＥＤランプ芯の前記ベース上の投影位置は、前記中心軸に対して偏心する偏軸の偏軸位置にあり、前記軸心と前記偏軸位置との間には特定の距離があり、前記特定の距離は１mm〜５mmである。
【００５１】
８、実施例７に記載のランプ装置において、前記第一ＬＥＤランプ芯は、突出部によって間接的に前記ベースの上に設けられて、前記突出部は、円筒形構造及び傘状構造を有し、前記傘状構造は、傘柱構造及び傘面構造を有し、前記傘柱構造は、前記軸心と前記偏軸位置との間にあり、且つ前記円筒形構造の第一端と結合し、前記円筒形構造の中心軸は、前記ベースの前記中心軸と重なり、前記円筒形構造の第二端は、前記ベースと結合し、前記ベースは、ECE R３７規範を準拠するH３電球用のベースであり、前記傘柱構造の遮光角度は、０〜３０度であり、前記傘柱構造の長さは、１５mm〜２０mmである。
【００５２】
９、実施例７〜８に記載のランプ装置において、前記ランプ装置は、リフレクター及び第二ＬＥＤランプ芯を更に含み、前記リフレクターは、前記第一ＬＥＤランプ芯からの光を反射して第一ライトフィールドを形成し、且つ前記第二ＬＥＤランプ芯からの光を反射して第二ライトフィールドを形成し、前記中心軸は、前記第二ＬＥＤランプ芯を通過し、且つ前記第一ＬＥＤランプ芯は、前記中心軸の上にある時、前記第二ライトフィールドは、前記中心軸の近くにあり、且つ平行に延び、前記第一ライトフィールドは、前記中心軸の下にあり、且つ扇形に延び、前記中心軸は、前記第二ＬＥＤランプ芯を通過し、且つ前記第一ＬＥＤランプ芯は、前記中心軸の下にある時、前記第二ライトフィールドは、前記中心軸の近くにあり、且つ平行に延び、前記第一ライトフィールドは、前記中心軸の上にあり、且つ扇形に延びる。
【００５３】
１０、実施例７〜９に記載のランプ装置において、前記突出部は、曲がった傘状構造を有し、前記曲がった傘状構造は、傘面構造及び曲がった柱を含み、前記曲がった柱は、前記傘面構造と結合し、第一サブ柱、第二サブ柱及び曲がった部を含み、前記第一サブ柱は、前記ベースの前記中心軸と重なり、且つ前記ベースと結合し、前記第二サブ柱は、前記偏軸と前記軸心との間に配置され、且つ前記傘面構造と結合し、前記曲がった部は、前記第一サブ柱を前記第二サブ柱と結合する。
【００５４】
１１、ランプ装置は、中心軸及び軸心を有するベースと、前記中心軸を基準として前記ベースの上に非対称的に配置され、且つ第一表面、第二表面及び前記中心軸対して偏心する偏軸を有する突出部と、を含み、前記突出部は、第一表面の上に配置されるＬＥＤ本体と、第二表面の上に配置される放熱構造と、を更に含み、前記偏軸は、前記放熱構造を通過し、前記中心軸は、前記ＬＥＤ本体を通過し、前記軸心と前記偏軸位置との間には特定の距離があり、前記特定の距離は１mm〜５mmである。
【００５５】
１２、実施例１１に記載のランプ装置において、前記ＬＥＤ本体は、前記第一表面と前記中心軸との交点の近くに配置され、前記放熱構造は、複数の溝槽を有し、前記複数の溝槽は、交互に配列されて複数の放熱フィンを形成し、前記突出部は、良好な熱伝導体であり、前記ベースは、支持オブジェクト及びヒートシンクを含み、前記支持オブジェクトは、ランプパネルであり、前記中心軸は、前記支持オブジェクトの第一中心位置にあり、前記突出部は、第二中心位置を有し、前記第一中心位置と前記第二中心位置との間にはオフセットがあり、前記オフセットは、前記特定の距離であり、前記ランプ装置は、第一連結ユニットと、第二連結ユニットと、第三連結ユニットと、リフレクターと、可撓性放熱ユニットと、を更に含み、前記支持オブジェクトは、前記第一連結ユニット及び前記第二連結ユニットによって前記突出部に連結され、前記第一連結ユニット及び前記第二連結ユニットは、ねじであり、前記ヒートシンクは、前記第三連結ユニットによって前記支持オブジェクト及び前記突出部に連結され、且つ前記可撓性放熱ユニットによって前記リフレクターに連結される。
【００５６】
１３、ランプ装置は、第一中心軸を有し、第二中心軸を有するベースと、第三中心軸を有する突出部と、を更に含み、前記第二中心軸は、前記第一中心軸と重なり、前記第三中心軸と前記第二中心軸との間にはオフセットがあり、前記オフセットは１mm〜５mmである。
【符号の説明】
【００５７】
１０…従来のＬＥＤランプベース、１００…中心軸、１０１…ベース、１０２…突出部、１０３、６０３…ＬＥＤ本体、１０３１…底面、２０…従来のＬＥＤ車両の昼間点灯、２０１…光源位置決め部、２０２…反射面、２０３…ＬＥＤ光源、３０、４０、５０、６０、７０…ランプ装置、３０１、４０１、５０１、６０１、７０１…ベース、３０１０、４０１０…円盤、３０１１、３０１２、４０１２…半円形のノッチ、３０１３、４０１３…結合孔、３０２、４０２、５０２、６０２、７０２…突出部、３０２１、６０２１…第一表面、３０２２、６０２２…第二表面、３０３、４０３…第一ＬＥＤ本体、３０３０…複数の第一ＬＥＤランプ芯、３０４０…複数の第二ＬＥＤランプ芯、３０４、４０４…第二ＬＥＤ本体、３０５…略半円形の反射ユニット、３０６…略長方形のシート、３０６１、４０６１、４４１１…第一端、３０６２、４０６２、４４１２…第二端、３２、４２、５２、６２…ＬＥＤユニット、４０１１…矩形のノッチ、４０２１…第一矩形の平面、４０２２…第二矩形の平面、４０３０…単一の第一矩形のＬＥＤランプ芯、４０４０…単一の第二矩形のＬＥＤランプ芯、４０５…略半円形の遮蔽ユニット、４０５１…第一扇形の平面、４０５２…第二扇形の平面、４０６…略円筒形のシート、４４１…円筒形構造、４４２…傘状構造、４４２１…傘柱構造、４４２２、５０３２…傘面構造、５０３…曲がった傘状構造、５０３１…曲がった柱、５０３３…第一サブ柱、５０３４…第二サブ柱、５０３５…曲がった部、５４…第一ＬＥＤランプ芯、５５…リフレクター、５６…第二ＬＥＤランプ芯、６０４…支持オブジェクト、６０５…ヒートシンク、６０６…放熱構造、６０７…溝槽、６０８…放熱フィン、６０９…第一連結ユニット、６１０…第二連結ユニット、６１１…第三連結ユニット、AC１、AC２、AC３…軸心、AOｆｆ１、AOｆｆ２、AOｆｆ３…偏軸位置、AxisC１、AxisC２、AxisC３…中心軸、AxisC５…第一中心軸、AxisC６…第二中心軸、AxisC７…第三中心軸、AxisOff１、AxisOff２、AxisOff３…偏軸、Ｃ５、Ｃ６、Ｃ７…中心点、CC１…投影輪廓、Ｄ1、Ｄ２、Ｄ５…特定の距離、Ｄ３、Ｄ４…第三厚さ、Dir１、Dir２…長軸の方向、Emit１、Emit３…第一出射光、Emit２、Emit４…第二出射光、L-R１、L-R３…第一所定の参考線、L-R２、L-R４…第二所定の参考線、OC１…突出部６０２の中心位置、OFS１、OFS２、OFS３…オフセット、PJP１、PJP２…投影位置、Reg０…従来のＨＩＤランプの出射光の照射する区域、Reg１、Reg３…第一ライトフィールド、Reg２、Reg４…第二ライトフィールド、TK１…直径、TK２…厚さ、TLED１、TLED３、TLED５…第一厚さ、TLED２、TLED４、TLED６…第二厚さ。
【図１】
0003215504.tif 000003
【図２】
0003215504.tif 000004
【図３（ａ）】
0003215504.tif 000005
【図３（ｂ）】
0003215504.tif 000006
【図３（ｃ）】
0003215504.tif 000007
【図３（ｄ）】
0003215504.tif 000008
【図４（ａ）】
0003215504.tif 000009
【図４（ｂ）】
0003215504.tif 000010
【図５（ａ）】
0003215504.tif 000011
【図５（ｂ）】
0003215504.tif 000012
【図５（ｃ）】
0003215504.tif 000013
【図５（ｄ）】
0003215504.tif 000014
【図６（ａ）】
0003215504.tif 000015
【図６（ｂ）】
0003215504.tif 000016
【図７（ａ）】
0003215504.tif 000017
【図７（ｂ）】
0003215504.tif 000018
【図７（ｃ）】
0003215504.tif 000019
【図８（ａ）】
0003215504.tif 000020
【図８（ｂ）】
0003215504.tif 000021
【図８（ｃ）】
0003215504.tif 000022
【図８（ｄ）】
0003215504.tif 000023
【図９】
0003215504.tif 000024
【手続補正書】
【提出日】平成30年1月26日(2018.1.26)
【手続補正１】
【補正対象書類名】実用新案登録請求の範囲
【補正対象項目名】請求項１０
【補正方法】変更
【補正の内容】
【請求項１０】
前記第一ＬＥＤランプ芯は、突出部によって間接的に前記ベースの上に設けられて、
前記突出部は、曲がった傘状構造を有し、
前記曲がった傘状構造は、傘面構造及び曲がった柱を含み、
前記曲がった柱は、前記傘面構造と結合し、第一サブ柱、第二サブ柱及び曲がった部を含み、
前記第一サブ柱は、前記ベースの前記中心軸と重なり、且つ前記ベースと結合し、
前記第二サブ柱は、前記偏軸と前記軸心との間に配置され、且つ前記傘面構造と結合し、
前記曲がった部は、前記第一サブ柱を前記第二サブ柱と結合することを特徴とする請求項７に記載のランプ装置。
【手続補正２】
【補正対象書類名】実用新案登録請求の範囲
【補正対象項目名】請求項１１
【補正方法】変更
【補正の内容】
【請求項１１】
中心軸及び軸心を有するベースと、
前記中心軸を基準として前記ベースの上に非対称的に配置され、且つ第一表面、第二表面及び前記中心軸に対して偏心する偏軸を有する突出部と、を含み、
前記突出部は、
第一表面の上に配置されるＬＥＤ本体と、
第二表面の上に配置される放熱構造と、を更に含み、
前記偏軸は、前記放熱構造を通過し、前記中心軸は、前記ＬＥＤ本体を通過し、前記軸心と前記偏軸位置との間には特定の距離があり、前記特定の距離は１mm〜５mmであること
を特徴とするランプ装置。